(57)【要約】【課題】インクジェットプリンタに印刷媒体を吸着して供給する際、印刷媒体上及びその近傍の紙粉などのゴミを確実に除去する。【解決手段】インクジェットヘッド１１の上流側に、コロトロンなどのコロナ放電器１４と、ゴミ吸着ローラ１３とを配設し、コロナ放電器４から電荷を降らせて印刷媒体２上及びその近傍の紙粉などのゴミを帯電し、逆極性に帯電させたゴミ吸着ローラ１３でゴミを吸着して除去する。ゴミ吸着ローラ１３には交流電位も同時に印加してゴミに微振動を発生させ、吸着しやすくする。また、ゴミ吸着ローラ１３を印刷媒体２に対して完全に密着しないようにして、ゴミだけを効率よく吸着する。ゴミの帯電極性は、搬送用無端ベルト１の極性と逆極性とする。【選択図】      図１
2006273443.tif 000002
【特許請求の範囲】
【請求項１】
搬送ベルトの表面に印刷媒体を静電気力で吸着して搬送し、その印刷媒体にノズルからインク滴を吐出して印字を行うインクジェットプリンタにおいて、前記搬送ベルト表面に吸着された印刷媒体に電荷を降らせて当該印刷媒体表面及びその近傍のゴミを帯電するコロナ放電手段と、前記コロナ放電手段で帯電されたゴミを静電気力で吸着するゴミ吸着手段とを備えたことを特徴とするインクジェットプリンタ。
【請求項２】
前記ゴミ吸着手段は、前記ゴミの帯電電位と逆の電位に帯電されたローラからなり、そのローラが印刷媒体に完全に密着しないようにして前記帯電されたゴミを吸着することを特徴とする請求項１に記載のインクジェットプリンタ。
【請求項３】
前記ローラに交流電位を印加することを特徴とする請求項２に記載のインクジェットプリンタ。
【発明の詳細な説明】
【技術分野】
【０００１】
本発明は、記録用紙等の印刷媒体を搬送ベルトの表面に吸着して搬送し、その印刷媒体に、例えば複数色の液体インクの微粒子（ドット）を吐出出力して所定の文字や画像を描画するようにしたインクジェットプリンタに関するものである。
【背景技術】
【０００２】
このようなインクジェットプリンタは、一般に安価で且つ高品質のカラー印刷物が容易に得られることから、パーソナルコンピュータやデジタルカメラなどの普及に伴い、オフィスのみならず一般ユーザにも広く普及してきている。
このようなインクジェットプリンタは、一般に、インクカートリッジとインク吐出ヘッド（一般にインクジェットヘッドという）とが一体的に備えられたキャリッジなどと称される移動体が印刷媒体上をその紙送り方向と直交する方向に往復しながらアクチュエータを駆動することにより、そのインクジェットヘッドに形成されているノズルから液体インクの微粒子を吐出（噴射）することで、印刷媒体上に微小なインクドットを出力して所定の文字や画像を描画して所望の印刷物を作成するようになっている。そして、このキャリッジに黒色（ブラック）を含めた４色（イエロー、マゼンタ、シアン）のインクカートリッジと各色毎のインクジェットヘッドを備えることで、モノクロ印刷のみならず、各色を組み合わせたフルカラー印刷も容易に行えるようになっている（更に、これらの各色に、ライトシアンやライトマゼンタなどを加えた６色や７色、或いは８色のものも実用化されている）。
【０００３】
また、このようにキャリッジ上のインクジェットヘッドを紙送り方向と直交する方向（印刷媒体の幅方向）に往復させながら印刷を実行するようにしたタイプのインクジェットプリンタでは、１頁全体をきれいに印刷するためにインクジェットヘッドを数十回から１００回以上も往復運動させる必要があるため、他の方式の印刷装置、例えば電子写真技術を用いたレーザプリンタ、複写機などに比べて大幅に印刷時間がかかるといった欠点がある。
【０００４】
これに対し、印刷媒体の幅と同じ寸法の長尺のインクジェットヘッドを配置してキャリッジを使用しないタイプのインクジェットプリンタでは、インクジェットヘッドを印刷媒体の幅方向に移動させる必要がなく、所謂１パスでの印刷が可能となるため、前記レーザプリンタと同様な高速な印刷が可能となる。なお、前者方式のインクジェットプリンタを一般に「マルチパス型インクジェットプリンタ」、後者方式のインクジェットプリンタを一般に「ラインヘッド型インクジェットプリンタ」と呼んでいる。
【０００５】
ところで、この種のラインヘッド型インクジェットプリンタでは、搬送用の無端ベルトに印刷媒体を吸着して搬送する構成がよく用いられている。一方、印刷用紙などの印刷媒体には、主として紙粉からなるゴミが付着しており、この紙粉がインクジェットヘッドのノズルに付着すると、飛行曲がりを始めとするインク吐出不具合が発生する。飛行曲がりとは、ノズルから吐出されるインク滴が理想とする弾道で飛行せず、理想出力位置（着弾位置とも言う）からずれてしまうことを意味する。特に、ラインヘッド型インクジェットプリンタでは、所謂１パスで印刷を行うため、多数のノズルのうちの一つのノズルにインク吐出不具合が発生するだけで、印字結果が著しく低下してしまう。
【０００６】
そこで、下記特許文献１に挙げるインクジェットプリンタでは、インクジェットヘッドの移動方向斜め先方に向けて、当該印刷媒体にエアーを吹付けることにより、紙粉などのゴミを吹飛ばすようにしている。また、この特許文献１では、必要に応じて印刷媒体を接地して除電するようにしている。
【特許文献１】特開２００３−１１８０９５号公報
【発明の開示】
【発明が解決しようとする課題】
【０００７】
しかしながら、前記特許文献１に記載される従来技術では、印刷媒体にエアーを吹付けて紙粉などのゴミを吹飛ばすだけであるから、ヘッドの移動に先立って、更にその前方に吹飛ばすからといって、吹飛ばされた紙粉などの飛んで行く先を完全に規定できるものではなく、再度ヘッドノズルの近傍に舞い落ちるものも多く、信頼性に欠けるものだった。また、前記特許文献１にも記載してあるとおり、紙粉などのゴミは、静電気力によってベルトや印刷媒体に付着しているものであるが、前記特許文献１では実際に除去したい紙粉などのゴミそのものの帯電電荷を除去する、或いは制御する方策を講じていないため、紙粉などを除去する信頼性は不十分なものであった。何れにしても、前記特許文献１に記載されるインクジェットプリンタでは、印刷媒体上の紙粉等のゴミを確実に除去できないという問題がある。
【０００８】
本発明は、上記のような問題点に着目してなされたものであり、印刷媒体上の紙粉などのゴミを確実に除去することが可能なインクジェットプリンタを提供することを目的とするものである。
【課題を解決するための手段】
【０００９】
［発明１］上記課題を解決するために、発明１のインクジェットプリンタは、搬送ベルトの表面に印刷媒体を静電気力で吸着して搬送し、その印刷媒体にノズルからインク滴を吐出して印字を行うインクジェットプリンタにおいて、前記搬送ベルト表面に吸着された印刷媒体に電荷を降らせて当該印刷媒体表面及びその近傍のゴミを帯電するコロナ放電手段と、前記コロナ放電手段で帯電されたゴミを静電気力で吸着するゴミ吸着手段とを備えたことを特徴とするものである。
【００１０】
この発明１に係るインクジェットプリンタによれば、コロナ放電手段によって搬送ベルト表面に吸着された印刷媒体に電荷を降らせ、当該印刷媒体表面及びその近傍のゴミを帯電し、ゴミ吸着手段によって帯電されたゴミを静電気力で吸着する構成としたため、搬送ベルトが帯電していても、それより強い吸着力で印刷媒体表面及びその近傍のゴミを確実に除去することができる。
【００１１】
［発明２］発明２のインクジェットプリンタは、前記発明１のインクジェットプリンタにおいて、前記ゴミ吸着手段は、前記ゴミの帯電電位と逆の電位に帯電されたローラからなり、そのローラが印刷媒体に完全に密着しないようにして前記帯電されたゴミを吸着することを特徴とするものである。
この発明２に係るインクジェットプリンタによれば、ゴミの帯電電位と逆の電位に帯電したローラをゴミ吸着手段とし、そのローラが印刷媒体に完全に密着しないようにして帯電されたゴミを吸着する構成としたため、印刷媒体をローラからなるゴミ吸着手段に吸着することなく、ゴミだけを確実に除去することが可能となる。
【００１２】
［発明３］発明３のインクジェットプリンタは、前記発明２のインクジェットプリンタにおいて、前記ローラに交流電位を印加することを特徴とするものである。
この発明３に係るインクジェットプリンタによれば、ゴミ吸着手段を構成するローラに交流電位を印加することにより、印刷媒体表面及びその近傍のゴミに微振動を生じさせることができるので、搬送ベルトが帯電していても、ゴミを確実に除去することが可能となる。
【発明を実施するための最良の形態】
【００１３】
次に、本発明のインクジェットプリンタの一実施形態について図面を参照しながら説明する。
図１は、本実施形態のインクジェットプリンタの概略構成図である。図中の符号１は、印刷用紙等の印刷媒体２を搬送するための無端ベルトである。印刷媒体２は、前述したように印刷用紙やＯＨＰシートのような高抵抗体製のシート状材である。また、無端ベルト１も、後述するような材料からなる表面が高抵抗体製の無端ベルトである。この無端ベルト１は、図の左端部に配設された駆動ローラ３と、図の右端部に配設された従動ローラ４とに巻回されている。駆動ローラ３は、図示しない駆動源によって図の矢印方向に回転駆動され、後述する帯電ローラで帯電された無端ベルト１に印刷媒体２を吸着した状態で、当該印刷媒体２を図の右方から左方に、つまり矢印方向に搬送する。従動ローラ４は、帯電電位を所定の値に設定するために接地されている。無端ベルト１は、図示しないテンションローラを用いて図の下方にベルトを広げる、或いは駆動ローラ３若しくは従動ローラ４の何れか一方を外側にバネでひく、等の構成により張力が調整され、弛みが出ないようにしてある。
【００１４】
無端ベルト１には、従動ローラ４に対向するようにして、帯電手段としての帯電ローラ７が当接されており、帯電ローラ７には直流電源８、この場合は（＋）電極が接続されている。この帯電ローラ７の配置は、印刷媒体２の給紙位置の直前に相当する。帯電ローラ７は、前述したように、無端ベルト１の表面に電荷を与えて帯電し、その帯電電荷によって印刷媒体２に誘電分極を発生させ、その誘電分極による印刷媒体２の無端ベルト１側の電荷と無端ベルト１の表面の電荷とによる静電気力で印刷媒体２を無端ベルト１の表面に吸着する。なお、帯電ローラ７は図示しないバネで無端ベルト１に押圧してある。
【００１５】
従動ローラ４の上方には、図示したように紙押えローラ９を配設してもよい。この紙押えローラ９は、図示しないバネによって下方に付勢されており、印刷媒体２を従動ローラ４上の無端ベルト１に押付ける機能を有する。印刷媒体２には１０〜数十μｍ程度の凹凸があり、またしわや反り、たるみや曲がりもあるため、印刷媒体２を無端ベルト１上に給紙しただけでは当該印刷媒体２は無端ベルト１に密着しない。そこで、帯電した無端ベルト１の外周面に印刷媒体２を搭載した後、紙押えローラ９で印刷媒体２を無端ベルト１に押付けると、前述したような誘電分極によって無端ベルト１の外周面に吸着された印刷媒体２は、更に吸着力が上がって確実に密着搬送されると共に、印刷媒体２の表面平滑性を高めてヘッドノズルとのギャップの均一性を向上させるものであるから、印字品質も向上する。紙押さえローラ９の印刷媒体２搬送方向上流側にはゲートローラ２３が配設されている。このゲートローラ２３は、給紙部２４から給紙された印刷媒体２を無端ベルト１上に送給するタイミングを調整すると共に印刷媒体２の搬送方向に対する曲がり、所謂スキューを補正する。なお、図中の符号２５は印刷媒体２を排出する排紙部である。
【００１６】
図１の符号１１は、インクジェットヘッドである。このインクジェットヘッド１１は、イエロー（Ｙ）、マゼンダ（Ｍ）、シアン（Ｃ）、ブラック（Ｋ）の４色、或いはそれらにライトマゼンダ（Ｌｍ）とライトシアン（Ｌｃ）を加えた６色、又はブルー（Ｂ）とレッド（Ｒ）を加えた６色、更にはグレーを加えた７色などの、必要な複数色の組合せの各色毎に、印刷媒体２の搬送方向にずらして配設されている。各インクジェットヘッド１１には、図示しない各色のインクタンクからインク供給チューブを介してインクが供給される。各インクジェットヘッド１１には、印刷媒体２の搬送方向と交差する方向に、複数のノズルが形成されており、それらのノズルから適宜必要箇所に必要量のインク滴を吐出することにより、印刷媒体２上に微小なインクドットを形成出力する。これを各色毎に行うことにより、無端ベルト１に吸着された印刷媒体２を一度通過させるだけで、所謂ワンパスによる印刷を行うことができる。即ち、このインクジェットヘッド１１の配設領域が印字領域に相当する。
【００１７】
インクジェットヘッドの各ノズルからインクを吐出出力する方法としては、ピエゾ方式、サーマル方式等様々であるが、本発明は、何れのインク出力方法も適用可能である。
印字領域を構成するインクジェットヘッド１１の下方には、当該インクジェットヘッド１１に対向するようにして平面形成部１２が設けられている。平面形成部１２は、一般にプラテンと呼ばれ、インクジェットヘッド１１からインク滴を吐出する際に、印刷媒体２の平坦面を規制するものである。
【００１８】
無端ベルト１は、基材となる樹脂として、ポリアミド系合成繊維、ポリエステル、ポリウレタン、ＰＥＴ、ポリカーボネートや、シリコン系、ＰＶＤＦ系等のフッ素系樹脂を適用し、これにカーボンブラックや導電性フィラーを混入させて、体積抵抗値を１０5〜１０8Ω・ｃｍ程度に調整し、その上に体積抵抗値を１０12Ω・ｃｍ以上とした、厚さ数μｍ〜２０μｍ程度の絶縁層を密着させ、全体の厚さを、耐久性と柔軟性、高速での帯電及び除電特性等を勘案して０．０５〜０．５ｍｍ、より好ましくは０．１〜０．２ｍｍ程度に選定する。絶縁層の材質としては例えばポリウレタン、ポリイミド、シリコンゴム等の一般的な合成樹脂でよく、ナイロン系やポリフッ化ビニリデン、ポリ塩化ビニリデン等を用いてもよい。一方、無端ベルト１を帯電させる方法は、前記帯電ローラ７でもよく、またローラに代えて、コロトロンなどのコロナ放電器を用いてもよい。従って、帯電ローラ７によって無端ベルト１の表面を（＋）に帯電し、その表面に印刷媒体２を搭載すると、絶縁体からなる印刷媒体２内で厚さ方向に誘電分極が生じ、無端ベルト１の表面の電荷と誘電分極した印刷媒体２内の無端ベルト１側の電荷による静電気力で印刷媒体２は無端ベルト１の表面に吸着される。
【００１９】
図１に示した本実施形態では、前記インクジェットヘッド１１の印刷媒体搬送方向上流側にゴミ吸着ローラ１３が設けられ、更に、その上流側にコロトロンなどからなるコロナ放電器１４が配設されている。コロナ放電器１４は、コロナ放電によって電荷を降らせるものであり、この場合は（−）電荷、つまり電子を印刷媒体２及びその近傍に降らせ、特に印刷媒体２上又はその近傍の紙粉などのゴミを帯電する。ゴミ吸着ローラ１３は、その帯電されたゴミを静電気力で吸着する。
【００２０】
無端ベルト１を挟んだゴミ吸着ローラ１３の反対側にはバックアップローラ１５が配設されている。ゴミ吸着ローラ１３には、交流電位と（＋）の直流電位とが印加されており、その平均値は、帯電された無端ベルト１の電位より高い。また、ゴミ吸着ローラ１３にはスクレーパ１６が当接しており、スクレーパ１６の下方にはゴミ受け１７が配設されている。（−）の電荷が降りかかったゴミは（−）に帯電しており、これを、凡そ（＋）に帯電されたゴミ吸着ローラ１３で吸着する。交流電位を印加するのは、電界が短時間に連続的に変動するのを利用してゴミに微振動を与え、印刷媒体２や無端ベルト１からはがれ易くするためである。このとき、質量も小さく、印刷媒体２や無端ベルト１との接触面積も小さい紙粉等のゴミは、その全体に交流電位による振動を受けるので動きやすいが、一方、質量の大きい無端ベルト１や、更に無端ベルト１に全面で吸着している印刷媒体２は、全体積のごく一部に交流電位による振動を受けるのみなので、動きにくい。従って、紙粉等のゴミのみをはがしとることが可能となる。ゴミ吸着ローラ１３に吸着されたゴミはスクレーパ１６で掻き落とされ、ゴミ受け１７に溜まる。
【００２１】
なお、交流電位と直流電位とを重畳した電圧は、最大で２０００Ｖを越えないようにする（２０００Ｖを越えるとリーク放電が発生する恐れがある）。また、交流の周波数は５００〜３０００Ｈｚとするのがよい。この範囲の周波数であれば、紙粉等のゴミは追従して動きやすい一方、比較的質量の大きな印刷媒体２や無端ベルト１は追従しにくく、無用な騒音を発生することがない。交流の波形は問わない。正弦波でも、矩形波でも、三角波でも殆ど類似の効果が期待できる。また、交流電位を与えず、直流電位だけ印加するようにしても、紙粉等のゴミを吸着除去する効果はある。その場合の直流電位は、ベルト帯電電位（５００〜１２００Ｖ）より大きな電位とし、２０００Ｖ以下とする。
【００２２】
ゴミ吸着ローラ１３の種々の形態を図２に示す。このゴミ吸着ローラ１３は、図示しないステンレス等の導電性の軸と、印刷媒体２を押さえる突き当て部２１と、それより僅かに小径の誘電部２２とを備えて構成されている。具体的には誘電部２２の外周に、リング状の突き当て部２１を嵌合固定して構成する。或いは突き当て部２１と誘電部２２とを軸線方向につなぎ合わせて構成してもよい。突き当て部２１は、印刷媒体２を押えながら誘電部２２を印刷媒体２と非接触の状態に維持するためのものであり、軸線方向の長さは３ｍｍ程度以下と短い。また、この突き当て部２１は、印刷媒体２の幅方向（搬送方向と直交方向）両端部の少し内側を押さえるのが望ましい。これは、印刷媒体２が浮き上がって来ないように押さえ込むのと同時に、印刷媒体２の切断時に発生し且つ印刷媒体２の端部の近くに多く残存している紙粉などのゴミを吸着したいので、それを押さえてしまわないようにするためである。図２ａは印刷媒体２の幅が１種類の場合の例、図２ｂと図２ｃとは、各々複数種類の印刷媒体２の幅に対応した場合の例であり、夫々、想定する種類の印刷媒体２の幅方向両端部の少し内側を押さえることができるようになっている。これら図２ｂや図２ｃの構成の場合、数種類の寸法の印刷歯板２のうち、幅の広いものは幅方向両端部の少し内側だけでなく、中央部近くも数カ所押さえることになるが、紙粉等のゴミを吸着除去する効果に殆ど影響しない。紙粉等のゴミは、印刷媒体２の端部近傍に比べて、中央部付近には少ないからである。また特に、図２ｃでは、突き当て部２１を先細り断面として、紙粉などのゴミを極力押さえないようにした。突き当て部２１の先端をＲ面取りするのも有効である。また、突き当て部２１自体を拍車形状にしてもよい。
【００２３】
誘電部２２は、内側の中抵抗層と表面の絶縁層とからなる。中抵抗層の材質は、クロロプレンゴム、ウレタンゴム、ブタジエンゴム、アクリロニトリルブタジエンゴム、スチレンブタジエンゴム、エチレンプロプレンゴム、アクリルゴム、フッ素ゴムなどの一般的合成樹脂を基材として用いることができる。そして、これらの基材に、例えばカーボンブラックや導電性フィラーを混入し、全体の体積抵抗値を１０5Ω・ｃｍ程度に調整して用いる。硬さは問わない。また、絶縁層の材質は、例えばポリウレタン、ポリイミド、シリコンゴムなどの一般的な合成樹脂でよく、スクレーパ１６によるゴミの剥離性を考えると、ナイロン系やポリフッ化ビニリデン、ポリ塩化ビニリデンなどを用いてもよい。絶縁層の抵抗値は、少なくとも体積抵抗値で１０12Ω・ｃｍ、望ましくは１０15Ω・ｃｍ以上とする。絶縁層の厚さは、交流電位による誘電分極時の電荷発生の反応を考えると、薄い方が望ましく、例えば１０〜２００μｍ、望ましくは１０〜５０μｍとする。突き当て部２１の材質は、一般の絶縁性プラスチックでよいが、印刷媒体２に当たる面の帯電性を小さくするために、ＰＴＦＥ等のフッ素樹脂、フッ素化エポキシ樹脂、フッ素化ポリイミド等のフッ素化ポリマー、オレフィン系やポリスチレン系等の炭化水素系ポリマーなどの低誘電率の絶縁性材料を用いてもよい。
【００２４】
以上のように、本実施形態のインクジェットプリンタによれば、コロナ放電器１４によって搬送用無端ベルト１の表面に吸着された印刷媒体２に電荷を降らせ、当該印刷媒体２表面及びその近傍のゴミを帯電し、ゴミ吸着ローラ１３によって帯電されたゴミを静電気力で吸着することとしたため、搬送用無端ベルト１が帯電していても、それより強い吸着力で印刷媒体２表面及びその近傍のゴミを確実に除去することができる。
【００２５】
また、ゴミの帯電電位と逆の電位に帯電したゴミ吸着ローラ１３が印刷媒体２に完全に密着しないようにして帯電されたゴミを吸着する構成としたため、印刷媒体２をゴミ吸着ローラ１３に吸着することなく、ゴミだけを確実に除去することが可能となる。
また、ゴミ吸着ローラ１３に交流電位を印加することにより、印刷媒体２表面及びその近傍のゴミに微振動を生じさせることができるので、搬送用無端ベルト１が帯電していても、ゴミを確実に除去することが可能となる。
【００２６】
図３には、ゴミ吸着ローラ１３をクリーニングする構成の、他の実施形態を示す。この実施形態では、ゴミ吸着ローラ１３に、もう一つ個別のクリーニングローラ１８を当接し、このクリーニングローラ１８にスクレーパ１６を当接し、スクレーパ１６の下方にゴミ受け１７を配設する。クリーニングローラ１８には、ゴミ吸着ローラ１３に印加している交流電位及び直流電位の総和の最大値より大きな電位の直流（＋）電位を印加する。クリーニングローラ１８は、体積抵抗値が１０5Ω・ｃｍ程度の中抵抗材料の表面を、体積抵抗値が１０12Ω・ｃｍ以上の比較的硬い材料で覆って構成されており、ゴミ吸着ローラ１３の突き当て部２１にのみ当接する。従って、ゴミ吸着ローラ１３に吸着されている紙粉などのゴミは、より電位差の大きいクリーニングローラ１８に吸着され、更にスクレーパ１６で掻き落とされてゴミ受け１７に溜まる。このようにすれば、突き当て部２１を回避して、紙粉等のゴミが吸着している誘電部２２のみに当接させるための複雑な形状のスクレーパ１６を作成する必要がない。
【００２７】
なお、本発明のインクジェットプリンタは、ラインヘッド型インクジェットプリンタに特に有効であるが、それに限らず、マルチパス型インクジェットプリンタにも適用可能である。
【図面の簡単な説明】
【００２８】
【図１】本発明のインクジェットプリンタの一実施形態の概略構成を示す正面図である。
【図２】図１のゴミ吸着ローラの種々の形態の説明図である。
【図３】本発明のインクジェットプリンタの他の実施形態を示すゴミ吸着ローラの構成図である。
【符号の説明】
【００２９】
１は無端ベルト、２は印刷媒体、３は駆動ローラ、４は従動ローラ、７は帯電ローラ、８は直流電源、９は紙押えローラ、１１はインクジェットヘッド、１２は平面形成部、１３はゴミ吸着ローラ、１４はコロナ放電器、１５はバックアップローラ、１６はスクレーパ、１７はゴミ受け、１８はクリーニングローラ、２３はゲートローラ、２４は給紙部、２５は排紙部
【図１】
2006273443.tif 000003
【図２】
2006273443.tif 000004
【図３】
2006273443.tif 000005